(57)【要約】【課題】架空送電線鉄塔の、例えば、充電部付近に付着した付着物を除去するに際し、工具の絶縁性を確保して、活線での作業中における電気事故の発生を確実に阻止することができる、架空送電線保守用活線工具を提供する。【解決手段】本発明は、軸支部を介して開閉可能に形成された一対の挟持アーム部材を、操作棒の先端部に設けた架空送電線保守用活線工具であって、操作棒を電気絶縁性材料を用いて製作している。また、一対の挟持アーム部材は、外装タイプの駆動部により開閉する。さらに、駆動部は、バネにより閉方向に常時付勢されている一対の挟持アーム部材を、該バネの付勢力に抗して開状態にする。【選択図】図３
2009100529.tif 000002
【特許請求の範囲】
【請求項１】
軸支部を介して開閉可能に形成された一対の挟持アーム部材を、操作棒の先端部に設けた架空送電線保守用活線工具であって、操作棒を電気絶縁性材料を用いて製作したことを特徴とする架空送電線保守用活線工具。
【請求項２】
一対の挟持アーム部材は、外装タイプの駆動部により開閉する請求項１に記載の架空送電線保守用活線工具。
【請求項３】
駆動部は、バネにより閉方向に常時付勢されている一対の挟持アーム部材を、該バネの付勢力に抗して開状態にする請求項１または２に記載の架空送電線保守用活線工具。
【請求項４】
一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーに絶縁チェーンを取り付けて成り、該絶縁チェーンを牽引して、可動側アーム部材を移動させて挟持アーム部材を開状態にする請求項１乃至３のいずれかに記載の架空送電線保守用活線工具。
【請求項５】
一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍にも所定の凸部を設け、可動側アーム部材の凸部に操作レバーの凸部を係合させると共に、該操作レバーに絶縁チェーンを取り付けて成り、該絶縁チェーンを牽引して、可動側アーム部材を移動させて挟持アーム部材を開状態にする請求項１乃至３のいずれかに記載の架空送電線保守用活線工具。
【請求項６】
前記絶縁チェーンは、操作棒の基端部側に、前後方向にスライド可能に装着された操作部に連結されている請求項４または５に記載の架空送電線保守用活線工具。
【請求項７】
一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーを操作して、可動側アーム部材を移動させて挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えている請求項１乃至３のいずれかに記載の架空送電線保守用活線工具。
【請求項８】
一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させることで、該操作レバーを操作して、可動側アーム部材を移動させて挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えている請求項１乃至３のいずれかに記載の架空送電線保守用活線工具。
【請求項９】
一対の挟持アーム部材は、操作棒の先端に固着した固定側アーム部材と、該固定側アーム部材に軸支部を介して開閉可能に取り付けた可動側アーム部材とから成り、前記駆動部は、リモコン受信部と、操作棒の基端部側に取り付けたリモコン送信部とを備え、該リモコン送信部からの信号をリモコン受信部で受け、駆動部を駆動させる請求項１または２に記載の架空送電線保守用活線工具。
【発明の詳細な説明】
【技術分野】
【０００１】
本発明は、架空送電線鉄塔の、例えば、充電部付近に付着している飛来物や営巣等を除去するために使用する、架空送電線保守用活線工具に関するものである。
【背景技術】
【０００２】
架空送電線鉄塔の架空電線、柱上機器、碍子、充電部付近等に、例えば、凧や凧糸、農業用ビニール、洗濯物、枯枝等の飛来物が絡まった状態で付着した場合や、鳥の営巣材が付着した場合、これらの付着物による電気事故の発生を防止するために、通電停止の状態で、これらの付着物の除去作業を行うのが原則である。
【０００３】
しかし、通電停止調整に時間を要する場合には、活線の状態でこれらの付着物を除去することが望まれている。
【０００４】
このため、従来においては、付着物除去性能を有する既存の工具として、例えば、特許文献１に開示されているように、円筒形の外装と、内部の駆動軸とで工具先端のはさみ部を開閉操作する、高所作業用セイフティハンドなる技術が存在する。
【特許文献１】特許第３６５７７０４号公報
【発明の開示】
【発明が解決しようとする課題】
【０００５】
しかしながら、特許文献１のような従来における技術においては、駆動軸等の絶縁性能が保障されていないことから、活線での作業中に電気事故に繋がる危険性がある。
【０００６】
また、工具自体の絶縁性能を目で確認する使用前点検もできないことから、活線での作業に使用することができなかった。
【０００７】
そこで、本発明は如上のような従来存した諸事情に鑑み創出されたもので、架空送電線鉄塔の、例えば、充電部付近に付着した付着物を除去するに際し、工具の絶縁性を確保して、活線での作業中における電気事故の発生を確実に阻止することができる、架空送電線保守用活線工具を提供することを目的とする。
【課題を解決するための手段】
【０００８】
本発明は、軸支部を介して開閉可能に形成された一対の挟持アーム部材を、操作棒の先端部に設けた架空送電線保守用活線工具であって、操作棒を電気絶縁性材料を用いて製作したことで、上述した課題を解決した。
【０００９】
また、一対の挟持アーム部材は、外装タイプの駆動部により開閉することで、同じく上述した課題を解決した。
【００１０】
さらに、駆動部は、バネにより閉方向に常時付勢されている一対の挟持アーム部材を、該バネの付勢力に抗して開状態にすることで、同じく上述した課題を解決した。
【００１１】
また、一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーに絶縁チェーンを取り付けて成り、該絶縁チェーンを牽引して、可動側アーム部材を移動させて挟持アーム部材を開状態にすることで、同じく上述した課題を解決した。
【００１２】
加えて、一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍にも所定の凸部を設け、可動側アーム部材の凸部に操作レバーの凸部を係合させると共に、該操作レバーに絶縁チェーンを取り付けて成り、該絶縁チェーンを牽引して、可動側アーム部材を移動させて挟持アーム部材を開状態にすることで、同じく上述した課題を解決した。
【００１３】
また、前記絶縁チェーンは、操作棒の基端部側に、前後方向にスライド可能に装着された操作部に連結されていることで、同じく上述した課題を解決した。
【００１４】
この他、一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーを操作して、可動側アーム部材を移動させて挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えていることで、同じく上述した課題を解決した。
【００１５】
また、一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させることで、該操作レバーを操作して、可動側アーム部材を移動させて挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えていることで、同じく上述した課題を解決した。
【００１６】
さらに、一対の挟持アーム部材は、操作棒の先端に固着した固定側アーム部材と、該固定側アーム部材に軸支部を介して開閉可能に取り付けた可動側アーム部材とから成り、前記駆動部は、リモコン受信部と、操作棒の基端部側に取り付けたリモコン送信部とを備え、該リモコン送信部からの信号をリモコン受信部で受け、駆動部を駆動させることで、同じく上述した課題を解決した。
【発明の効果】
【００１７】
本発明は、軸支部を介して開閉可能に形成された一対の挟持アーム部材を、操作棒の先端部に設けた架空送電線保守用活線工具であって、操作棒を電気絶縁性材料を用いて製作したことから、操作棒における絶縁性を確保することができる。
【００１８】
その結果、架空送電線鉄塔の、例えば、充電部付近に付着した付着物を除去するに際し、操作棒における絶縁性を確保して、活線での作業中における電気事故の発生を確実に阻止して、付着物の除去作業を安全且つ確実に行なうことができる。
【００１９】
また、工具の軽量化を実現し、作業員による付着物の除去作業を容易に行なうことができる。
【００２０】
そして、一対の挟持アーム部材は、外装タイプの駆動部により開閉するので、従来の技術のように、はさみ部を開閉操作する所定の駆動軸を、円筒形の外装の内部に設ける必要がない。
【００２１】
その為、一対の挟持アーム部材を開閉する機構が、操作棒の外側に存在することとなり、工具自体の絶縁性能を目で確認する使用前点検を容易に実施することができる。
【００２２】
具体的には、工具自体の絶縁性能を目で確認するだけでなく、工具を手で触ったり、ウエスて゛拭いたりすることで、工具への傷、埃、水分等の付着状態を確認できることから、工具の使用前点検を迅速且つ確実に実施できるのである。
【００２３】
また、一対の挟持アーム部材を開閉する機構を、操作棒の内側に設ける必要がないため、スペースの制約を受けることがなく、種々の機構の駆動部を選択することができる。
【００２４】
さらに、一対の挟持アーム部材を開閉する機構を、スペースの制約を受けることなく選択できることから、活線工具自体の製造コストを、低く抑えることができる。
【００２５】
また、駆動部は、バネにより閉方向に常時付勢されている一対の挟持アーム部材を、該バネの付勢力に抗して開状態にするので、駆動部を解放することにより、
挟持アーム部材が自然に閉じ、この挟持アーム部材による付着物の掴み操作を、誰もが簡単に行うことができる。
【００２６】
加えて、一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーに絶縁チェーンを取り付けて成ることから、該絶縁チェーンを牽引して、可動側アーム部材を移動させて挟持アーム部材を簡単に開状態にすることができる。
【００２７】
その為、工具を構成する操作棒の絶縁性を確実に維持しながら、高所における作業員による付着物の除去作業を容易に行なうことができる。
【００２８】
また、一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させると共に、該操作レバーに絶縁チェーンを取り付けて成ることから、該絶縁チェーンを牽引して、可動側アーム部材を移動させて挟持アーム部材を簡単に開状態にすることができる。
【００２９】
そして、挟持アーム部材を開状態にする際に、絶縁チェーンを直接取り付けている可動側アーム部材を移動させるタイプの工具、また、絶縁チェーンを直接取り付けていない可動側アーム部材を移動させるタイプの工具を適宜選択して、高所における狭い場所での作業員による付着物の除去作業を容易に行なうことができる。
【００３０】
また、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させているので、操作レバーに取り付けた絶縁チェーンを牽引することにより、可動側アーム部材を滑らかに移動できる。
【００３１】
さらに、前記絶縁チェーンは、操作棒の基端部側に、前後方向にスライド可能に装着された操作部に連結されているので、操作棒を左手で握り、同時に右手で操作部を握ることで、作業員が両手で操作棒をしっかりと支えた状態を維持しながら、右手で操作部を後方に移動させるだけで、一対の挟持アーム部材を簡単に開かせることができる。
【００３２】
また、右手の握りを緩めれば操作部が自然に前方に移動することから、一対の挟持アーム部材を簡単に閉じることができる。
【００３３】
このように、作業員が両手で操作棒をしっかりと支えた状態で、一対の挟持アーム部材を容易に開閉できるため、高所における狭い場所での作業員による付着物の除去作業を安全に行なうことができる。
【００３４】
この他、一対の挟持アーム部材は、操作棒の先端に固着した固定側アーム部材と、該固定側アーム部材に軸支部を介して開閉可能に取り付けた可動側アーム部材とから成り、前記駆動部は、可動側アーム部材に操作レバーを設け、該操作レバーを操作して、可動側アーム部材の先端側を操作レバー側に移動させて、挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えているので、操作レバーを解放して可動側アーム部材がゆっくりと閉塞している最中に、操作棒を介して挟持アーム部材を付着物に接近させ、挟持アーム部材により付着物を掴み取ることができる。
【００３５】
その為、作業員による活線状態における付着物の除去作業を、危険を伴うことなく容易に行なうことができる。
【００３６】
また、一対の挟持アーム部材は、操作棒の先端に固着した固定側アーム部材と、該固定側アーム部材に軸支部を介して開閉可能に取り付けた可動側アーム部材とから成り、前記駆動部は、固定側アーム部材・可動側アーム部材とは別個に操作レバーを設け、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させることで、該操作レバーを操作して、可動側アーム部材を移動させて挟持アーム部材を開状態にした後、操作レバーを解放して、バネの付勢力に任せて一対の挟持アーム部材を閉状態にする際に、可動側アーム部材をゆっくりと固定側アーム部材側に移動させるダンパー部を備えているので、操作レバーを解放して可動側アーム部材がゆっくりと閉塞している最中に、操作棒を介して挟持アーム部材を付着物に接近させ、挟持アーム部材により付着物を容易に掴み取ることができる。
【００３７】
そして、挟持アーム部材を開状態にする際に、操作レバーを直接設けている可動側アーム部材を移動させるタイプの工具、また、操作レバーを直接設けていない可動側アーム部材を移動させるタイプの工具を適宜選択して、高所における狭い場所での作業員による付着物の除去作業を容易に行なうことができる。
【００３８】
また、固定側アーム部材において、可動側アーム部材の近傍に軸支部を介して操作レバーを回動可能に取り付け、可動側アーム部材の基端側に所定の凸部を設ける一方、操作レバーの軸支部近傍に所定の凸部を設け、可動側アーム部材の凸部に操作レバーの凸部を係合させるので、操作レバーを操作することにより、可動側アーム部材を滑らかに移動できる。
【００３９】
さらに、一対の挟持アーム部材は、操作棒の先端に固着した固定側アーム部材と、該固定側アーム部材に軸支部を介して開閉可能に取り付けた可動側アーム部材とから成り、前記駆動部は、リモコン受信部と、操作棒の基端部側に取り付けたリモコン送信部とを備え、該リモコン送信部からの信号をリモコン受信部で受け、駆動部を駆動させることから、一対の挟持アーム部材を、手元でのリモコン送信部による遠隔操作によりワンタッチで開閉できることとなり、高所における狭い場所での作業員による付着物の除去作業を安全に行なうことができる。
【発明を実施するための最良の形態】
【００４０】
以下に、本発明を実施するための最良の形態を、図面を参照して説明する。
【００４１】
本発明に係る架空送電線保守用活線工具は、図１乃至図３に示すように、操作棒１の先端部に、開閉可能に形成された一対の挟持アーム部材２を設けて形成されている。
【００４２】
この操作棒１は、強化プラスチック（ＦＲＰ）またはエポキシ樹脂や、不飽和ポリエステル等の熱硬化性プラスチック等の電気絶縁性材料を用いて製作されている。
【００４３】
また、一対の挟持アーム部材２も、同様の電気絶縁性材料を用いて製作されている。尚、一対の挟持アーム部材２の付着物Ｑを掴む部分は、その付着物Ｑをしっかりと保持するため、滑り止め用のゴムを貼設している。
【００４４】
そして、一対の挟持アーム部材２は、操作棒１の先端部にボルト等によって固定されている。
【００４５】
また、一対の挟持アーム部材２は、図５・図６に示すように、固定側アーム部材２Ａと、該固定側アーム部材２Ａの基端部分に、軸支部４を介して開閉可能に取り付けた可動側アーム部材２Ｂを備えている。
【００４６】
この固定側アーム部材２Ａは、その基端部分に矩形板部分を備えている。この矩形板部分は、図５に示すように、細長の矩形状に形成されているアーム部２Ａａに連設している幅広の略四角形部分２Ａｂと、アーム部２Ａａと略四角形部分２Ａｂの連設部分において側方に突出している略四角形部分２Ａｃとから構成されている。
【００４７】
同様に、可動側アーム部材２Ｂも、その基端部分に矩形板部分を備えている。この矩形板部分は、図６に示すように、細長の矩形状に形成されているアーム部２Ｂａに連設している幅広の略四角形部分２Ｂｂにより構成されている。
【００４８】
そして、固定側アーム部材２Ａの矩形板部分（２Ａｂ・２Ａｃ）に可動側アーム部材２Ｂの矩形板部分（２Ｂｂ）を当接させて、両板部分を貫通する軸支部４を介して、固定側アーム部材２Ａの板部分に可動側アーム部材２Ｂの板部分を取り付けているのである。
【００４９】
この軸支部４としては、通常のステンレスボルトとナットを使用している。
【００５０】
また、可動側アーム部材２Ｂは、図３に示すように、外装タイプの駆動部３により開閉するものである。
【００５１】
固定側アーム部材２Ａの矩形板部分（２Ａｂ）には、図５に示すように、その縁部分に沿って、略円弧状のガイド長孔５が設けられている。このガイド長孔５は、軸支部４の外側に配置されている。
【００５２】
そして、図５・図６に示すように、このガイド長孔５に、可動側アーム部材２Ｂの矩形板部分（２Ｂｂ）の一端側に突設したガイド突起６が係合している。この構成により、可動側アーム部材２Ｂの軸支部４の廻りにおける開閉移動範囲が規制されているのである。
【００５３】
また、図５に示すように、固定側アーム部材２Ａのガイド長孔５に沿った終端位置に、固定突起７を設けている。そして、固定側アーム部材２Ａの固定突起７と、可動側アーム部材２Ｂのガイド突起６を、コイルスプリング状のバネ８を介して連結している。このバネ８の構成により、可動側アーム部材２Ｂを、自律的に閉塞するように付勢させているのである。
【００５４】
さらに、図３・図６に示すように、可動側アーム部材２Ｂの矩形板部分（２Ｂｂ）には、横長形状の操作レバー９が設けられている。この操作レバー９は、矩形板部分（２Ｂｂ）において、ガイド突起６が存在する端部と反対側の端部に位置している。また、操作レバー９は、可動側アーム部材２Ｂのアーム部２Ｂａに対して、９０度の角度で突出状に設けられおり、複数の取付孔９ａを有している。
【００５５】
そして、この操作レバー９の取付孔９ａのいずれかに、絶縁チェーン１０の一端が所定のフックＦを介して取り付けられている。この絶縁チェーン１０は、強化プラスチック（ＦＲＰ）またはエポキシ樹脂や、不飽和ポリエステル等の熱硬化性プラスチック等により形成されている。
【００５６】
絶縁チェーン１０の他端側は、図３に示すように、その中間部分が、垂れ下がり防止用のリング部１２に挿入されている。絶縁チェーン１０を通過させているリング部１２は、操作棒１の途中に取り付けた筒状のジョイント部１１の端部に固定されている。
【００５７】
また、リング部１２を通過した絶縁チェーン１０は、図３・図４に示すように、操作棒１の基端部側で前後方向に沿ってスライド可能となるように装着された環状の操作部１３に固定されている。
【００５８】
具体的には、図４に示すように、操作部１３の側面に設けたガイド環１３ａに絶縁チェーン１０を通過させる。そして、ガイド環１３ａに所定のねじ孔１３ｂを設け、このねじ孔１３ｂに蝶ネジ１３ｃをねじ込んで、ガイド環１３ａの中に存在する絶縁チェーン１０の環内を貫くようにして蝶ネジ１３ｃの先端を通し、ガイド環１３ａに絶縁チェーン１０を固定しているのである。
【００５９】
この操作部１３を後方側へスライド移動させることにより、図５・図６に示すように、絶縁チェーン１０が牽引され、可動側アーム部材２Ｂが、固定側アーム部材２Ａに対して開方向に移動するのである。このとき、可動側アーム部材２Ｂは、その先端側を、絶縁チェーン１０が存在する側に移動させている。
【００６０】
また、図３に示すように、操作部１３を装着している操作棒１の基端部側には、肩掛けベルト１４が取り付けられている。
【００６１】
駆動部３の他の例として、図７に示すように、固定側アーム部材２Ａ・可動側アーム部材２Ｂとは別個に操作レバー９を設け、操作レバー９と可動側アーム部材２Ｂを連動させても良い。この構成においては、操作レバー９に取り付けた絶縁チェーン１０を牽引して、可動側アーム部材２Ｂの先端側を絶縁チェーン１０が存在していない側に移動させて、挟持アーム部材２を開状態にするのである。
【００６２】
この固定側アーム部材２Ａは、その基端部分に矩形板部分を備えている。この矩形板部分は、図８に示すように、細長の矩形状に形成されているアーム部２Ａａに連設している、一部が突出した幅広の略四角形部分２Ａｂにより構成されている。
【００６３】
また、可動側アーム部材２Ｂも、その基端部分に矩形板部分を備えている。この矩形板部分は、図７に示すように、細長の矩形状に形成されているアーム部２Ｂａに連設している若干幅広の略四角形部分２Ｂｂにより構成されている。この略四角形部分２Ｂｂは、アーム部２Ｂａに対して、９０度の角度で折曲した状態で設けられている。
【００６４】
そして、固定側アーム部材２Ａの矩形板部分（２Ａｂ）に可動側アーム部材２Ｂの矩形板部分（２Ｂｂ）を当接させて、両板部分を貫通する軸支部４を介して、固定側アーム部材２Ａの板部分に可動側アーム部材２Ｂの板部分を取り付けているのである。
【００６５】
また、可動側アーム部材２Ｂの略四角形部分２Ｂｂには、図７に示すように、軸支部４の近傍において、所定の凸部１５を設けている。
【００６６】
この凸部１５は、可動側アーム部材２Ｂの略四角形部分２Ｂｂから突出した状態で設けられている。具体的には、第１凸部１５ａと第２凸部１５ｂを隣り合うように設け、両凸部１５ａ・１５ｂ間に、凹部を形成している。また、凸部１５は、アーム部２Ｂａと反対向きに設けられている。
【００６７】
この可動側アーム部材２Ｂの略四角形部分２Ｂｂに隣接して、図７に示すように、固定側アーム部材２Ａの矩形板部分（２Ａｂ）に、操作レバー９を取り付けている。
【００６８】
この操作レバー９は、横長形状であり、複数の取付孔９ａを有している。また、操作レバー９の基端部分には、略円形の固定板部分９ｂが設けられている。さらに、固定板部分９ｂの縁部に沿って、複数の凸部１６を設けている。
【００６９】
この凸部１6は、操作レバー９の固定板部分９ｂから突出した状態で設けられている。具体的には、第１凸部１６ａと第２凸部１６ｂと第３凸部１６ｃを隣り合うように設け、第１凸部１６ａと第２凸部１６ｂの間と、第２凸部１６ｂと第３凸部１６ｃの間に、それぞれ凹部を形成している。
【００７０】
そして、固定側アーム部材２Ａの矩形板部分（２Ａｂ）に操作レバー９の固定板部分９ｂを当接させて、両板部分を貫通する軸支部４０を介して、固定側アーム部材２Ａの板部分に操作レバー９を回動可能に取り付けているのである。
【００７１】
このとき、可動側アーム部材２Ｂの略四角形部分２Ｂｂに設けた凸部１５に、操作レバー９の固定板部分９ｂに設けた凸部１６が係合した状態となっている。
【００７２】
これらの構成により、固定側アーム部材２Ａの矩形板部分（２Ａｂ）に可動側アーム部材２Ｂと操作レバー９が隣り合わせに取り付けられており、アーム部２Ｂａと操作レバー９は、それぞれの軸支部4・４０を介して、互いに反対向きに位置している。
【００７３】
その為、図７に示す状態において、操作レバー９の先端側に取り付けた絶縁チェーン１０を牽引し、軸支部４０を介して操作レバー９を操作棒１側に回動させると、互いに係合している可動側アーム部材２Ｂの凸部１５と操作レバー９の凸部１6とが一緒に矩形板部分（２Ａｂ）の側方に向けて移動し、可動側アーム部材２Ｂの先端側を絶縁チェーン１０が存在していない側に移動させて、挟持アーム部材２を開状態にするのである。
【００７４】
可動側アーム部材２Ｂの凸部１５と操作レバー９の凸部１6の具体的な係合状態は、可動側アーム部材２Ｂが閉じているときは、可動側アーム部材２Ｂの第１凸部１５ａが操作レバー９の第１凸部１６ａと第２凸部１６ｂの間に位置している。また、可動側アーム部材２Ｂの第２凸部１５ｂは、操作レバー９の第２凸部１６ｂと第３凸部１６ｃの間に位置している。
【００７５】
そして、可動側アーム部材２Ｂが開きはじめるときは、図７に示すように、操作レバー９の第２凸部１６ｂが、可動側アーム部材２Ｂの第１凸部１５ａの内側壁に当って、第１凸部１５ａを矩形板部分（２Ａｂ）の側方に向けて移動させるのである。
【００７６】
また、可動側アーム部材２Ｂが開いていくと、操作レバー９の第３凸部１６ｃが、可動側アーム部材２Ｂの第２凸部１５ｂの外側壁に当って、第２凸部１５ｂを矩形板部分（２Ａｂ）の側方に向けてさらに移動させるのである。
【００７７】
さらに、固定側アーム部材２Ａの矩形板部分（２Ａｂ）には、図８に示すように、操作レバー９側の縁部分に沿って、略円弧状のガイド長孔５が設けられている。
【００７８】
そして、図７・図８に示すように、このガイド長孔５に、可動側アーム部材２Ｂの矩形板部分（２Ｂｂ）の一端側に突設したガイド突起６が係合している。この構成により、可動側アーム部材２Ｂの軸支部４の廻りにおける開閉移動範囲が規制されているのである。
【００７９】
また、図８に示すように、ガイド長孔５に沿った終端位置に、固定突起７を設けている。そして、固定側アーム部材２Ａの固定突起７と、可動側アーム部材２Ｂのガイド突起６を、コイルスプリング状のバネ８を介して連結している。このバネ８の構成により、可動側アーム部材２Ｂを、自律的に閉塞するように付勢させているのである。
【００８０】
この他、図8に示すように、軸支部４を介した反対側にも、略円弧状のガイド長孔５０が設けられている。このガイド長孔５０は、ガイド長孔５よりも短く形成されている。
【００８１】
また、ガイド長孔５０には、可動側アーム部材２Ｂの矩形板部分（２Ｂｂ）に設けたガイド突起６０が係合している。
【００８２】
そして、ガイド長孔５・５０に係合しているガイド突起６・６０により、可動側アーム部材２Ｂの軸支部４の廻りにおける開閉移動範囲が規制されると共に、より安定した状態で可動側アーム部材２Ｂが開閉できるものとなる。また、全体として、より強固な構造を維持することができる。
【００８３】
次に、以上のように構成された本発明の最良の形態について使用、動作の一例を説明する。
【００８４】
先ず、作業員は操作棒１の肩掛けベルト１４を肩に掛けて鉄塔Ｐに登り、図１・図２に示すように、左手で操作棒１の略中間を握り、右手で操作部１３を握る。
【００８５】
尚、図１は、鉄塔Ｐに付着している飛来物を除去している状態を示し、図２は、鉄塔Ｐの営巣を除去している状態を示している。
【００８６】
この状態で、付着物Ｑを挟持アーム部材２により掴める位置まで接近してから、操作部１３を操作棒１の後方側に移動させると、図５・図６に示すように、操作レバー９の絶縁チェーン１０が牽引され、絶縁チェーン１０を基端部側に直接取り付けている可動側アーム部材２Ｂを移動させて挟持アーム部材２を開状態にする。
【００８７】
その後、操作部１３を操作棒１の前方側に移動させることで、挟持アーム部材２をバネ８の付勢により閉塞させ、付着物Ｑが挟持アーム部材２により掴み取られる。
【００８８】
尚、操作部１３を操作棒１の後方側に移動させることで、図７に示すように、可動側アーム部材２Ｂとは別個に存在する操作レバー９の絶縁チェーン１０が牽引され、絶縁チェーン１０を基端部側に直接取り付けていない可動側アーム部材２Ｂを移動させて挟持アーム部材２を開状態にし、その後、操作部１３を操作棒１の前方側に移動させることで、挟持アーム部材２をバネ８の付勢により閉塞させ、付着物Ｑが挟持アーム部材２により掴み取られるものであっても良い。
【００８９】
この他、図９乃至図１４、図１５・図１６には、本発明に係る架空送電線保守用活線工具における駆動部３の他の例が示されている。尚、前記した形態における構成と略同じ部分には、同じ符号を付すことにより、その詳細な説明を省略している。
【００９０】
図９乃至図１２に示す架空送電線保守用活線工具は、一対の挟持アーム部材２において、例えば、油圧式等のダンパー部２１を備えているものである。
【００９１】
一対の挟持アーム部材２は、図１０乃至図１２に示すように、固定側アーム部材２Ａと、該固定側アーム部材２Ａの基端部分に、軸支部４を介して開閉可能に取り付けた可動側アーム部材２Ｂを備えている。
【００９２】
このダンパー部２１は、操作レバー9を解放して、バネ８の付勢力に任せて一対の挟持アーム部材２を閉状態にする際に、可動側アーム部材２Ｂをゆっくりと固定側アーム部材２Ａ側に移動させるものである。
【００９３】
工具の基本的な構成は、図５・図６に示すタイプのものと略同じであるが、図１０・図１１に示すように、固定側アーム部材２Ａの矩形板部分（２Ａｃ）にも、略円弧状のガイド長孔５０が設けられている。このガイド長孔５０は、矩形板部分（２Ａｂ）に設けられているガイド長孔５よりも短く形成されている。
【００９４】
また、ガイド長孔５０には、可動側アーム部材２Ｂの矩形板部分（２Ｂｂ）の操作レバー９寄りに設けたガイド突起６０が係合している。
【００９５】
そして、ガイド長孔５・５０に係合しているガイド突起６・６０により、可動側アーム部材２Ｂの軸支部４の廻りにおける開閉移動範囲が規制されると共に、より安定した状態で可動側アーム部材２Ｂが開閉できるものとなる。また、全体として、より強固な構造を維持することができる。
【００９６】
さらに、図１０・図１１に示すように、一対の挟持アーム部材２に取り付けている軸支部４の部分に、ダンパー部２１を備えている。
【００９７】
このダンパー部２１は、固定側アーム部材２Ａの矩形板部分（２Ａｃ）に固定されている。また、ダンパー部２１は、両ガイド長孔５・５０の間に位置している。
【００９８】
駆動部３の他の例として、図１３・図１４に示すように、固定側アーム部材２Ａ・可動側アーム部材２Ｂとは別個に操作レバー９を設け、操作レバー９と可動側アーム部材２Ｂを連動させても良い。この構成においては、操作レバー９の回動によって可動側アーム部材２Ｂを、操作レバー９の回動方向とは反対方向に開かせるようにしている。
【００９９】
固定側アーム部材２Ａは、その基端部分に矩形板部分を備えている。この矩形板部分は、図１４に示すように、細長の矩形状に形成されているアーム部２Ａａに連設している幅広の略三角形部分２Ａｂにより構成されている。
【０１００】
工具の基本的な構成は、図7に示すタイプのものと略同じであるが、図１４に示すように、固定側アーム部材２Ａの矩形板部分（２Ａｂ）における可動側アーム部材２Ｂ側には、略円弧状のガイド長孔５０が設けられている。このガイド長孔５０には、可動側アーム部材２Ｂの矩形板部分（２Ｂｂ）に設けたガイド突起６０が係合している。
【０１０１】
また、図１４に示すように、固定側アーム部材２Ａの矩形板部分（２Ａｂ）における操作レバー9側にも、その縁部分に沿って、略円弧状のガイド長孔５が設けられている。このガイド長孔５は、ガイド長孔５０よりも長く形成されている。
【０１０２】
そして、図１４に示すように、このガイド長孔５に、可動側アーム部材２Ｂの矩形板部分（２Ｂｂ）の一端側に突設したガイド突起６が係合している。
【０１０３】
また、図１４に示すように、ガイド長孔５に沿った終端位置に、固定突起７を設けている。そして、固定突起７と、可動側アーム部材２Ｂのガイド突起６を、コイルスプリング状のバネ８を介して連結している。
【０１０４】
以下に、本工具を用いた作業の一例を説明する。
【０１０５】
先ず、作業員は操作棒１の肩掛けベルト１４を肩に掛けて鉄塔Ｐに登る。そして、付着物Ｑに接近してから、操作レバー９を回動させて、挟持アーム部材２を開状態にする。
【０１０６】
その後、操作レバー９を解放して、可動側アーム部材２Ｂがゆっくりと閉じているうちに、挟持アーム部材２を付着物Ｑに接近させ、付着物Ｑを掴み取るのである。
【０１０７】
この他、図１５・図１６に示す架空送電線保守用活線工具は、固定側アーム部材２Ａに対して、可動側アーム部材２Ｂを開閉駆動させる駆動部３として、ウオームギア機構部２２を備えている。
【０１０８】
固定側アーム部材２Ａは、その基端部分に矩形板部分を備えている。この矩形板部分は、図１６に示すように、細長の矩形状に形成されているアーム部２Ａａに連設している細板部分２Ａｂにより構成されている。
【０１０９】
また、可動側アーム部材２Ｂも、その基端部分に矩形板部分を備えている。この矩形板部分は、図１６に示すように、細長の矩形状に形成されているアーム部２Ｂａに連設している幅広の略三角形部分２Ｂｂにより構成されている。
【０１１０】
そして、固定側アーム部材２Ａの細板部分２Ａｂに可動側アーム部材２Ｂの略三角形部分２Ｂｂを当接させて、両板部分を貫通する軸支部４を介して、固定側アーム部材２Ａの板部分に可動側アーム部材２Ｂの板部分を取り付けているのである。
【０１１１】
ウオームギア機構部２２は、図１６に示すように、螺旋状の歯部２３を設けている棒状体２４と、円盤の側面に円弧状の歯部２５を設けている円盤体２６とを備えている。
【０１１２】
この円盤体２６を、軸支部４の位置において、可動側アーム部材２Ｂの略三角形部分２Ｂｂに固定する。また、所定の固定具２７を介して、棒状体２４を操作棒１に沿って取り付ける。このとき、円盤体２６の歯部２５と棒状体２４の歯部２３は、係合した状態となっている。
【０１１３】
また、棒状体２４の基端部は、リモコン受信機２８を備えたモータ２９に接続されている。
【０１１４】
そして、図１５に示すように、ウオームギア機構部２２を構成するリモコン受信機２８に、操作棒１の基端部側に取り付けたリモコン送信部３０から信号を送信し、この信号に基づいてウオームギア機構部２２のモータ２９を駆動させ、棒状体２４の歯部２３と円盤体２６の歯部２５を介して可動側アーム部材２Ｂを開閉移動させるのである。
【０１１５】
リモコン送信部３０は、例えば、赤外線通信等による駆動用の信号を送るものである。
【０１１６】
このようなリモコン受信機２８を備えたウオームギア機構部２２を採用したことから、リモコン送信部３０から信号を送信するという簡単な操作により、一対の挟持アーム部材２を滑らかに開閉できるのである。
【０１１７】
以下に、本工具を用いた作業の一例を説明する。
【０１１８】
先ず、作業員は操作棒１の肩掛けベルト１４を肩に掛けて鉄塔Ｐに登る。そして、付着物Ｑに接近する。
【０１１９】
次に、挟持アーム部材２を付着物Ｑに近づけ、リモコン送信部３０から信号を送信して、ウオームギア機構部２２を介して挟持アーム部材２を開状態にする。
【０１２０】
そして、開いている挟持アーム部材２を付着物Ｑに宛がい、リモコン送信部３０から信号を送信して、ウオームギア機構部２２を介して挟持アーム部材２を閉状態にする。
【０１２１】
この様にして、付着物Ｑを掴み取るのである。
【０１２２】
尚、ウオームギア機構部２２を採用していることから、閉じている挟持アーム部材２が不意に開くようなことがない。その為、作業員による活線状態における付着物Ｑの除去作業を、危険を伴うことなく容易に行なうことができるのである。
【産業上の利用可能性】
【０１２３】
本発明に係る架空送電線保守用活線工具は、架空送電線鉄塔の、例えば、充電部付近に付着している飛来物や営巣等の付着物を除去する他に、感電の危険性のある種々の送電設備等の保守用活線工具として、幅広く利用することができる。
【図面の簡単な説明】
【０１２４】
【図１】架空送電線保守用活線工具を使用して、鉄塔上の飛来物を除去している状態を示す斜視図である。
【図２】架空送電線保守用活線工具を使用して、鉄塔上の営巣を除去している状態を示す斜視図である。
【図３】絶縁チェーンを用いている架空送電線保守用活線工具の構成を示す斜視図である。
【図４】操作棒における操作部の構成を示す拡大斜視図である。
【図５】操作部を操作棒の後方側へスライド移動させ、絶縁チェーンを牽引することで、可動側アーム部材を絶縁チェーンが存在する側に移動させている状態を示す斜視図である。
【図６】操作部を操作棒の後方側へスライド移動させ、絶縁チェーンを牽引することで、可動側アーム部材を絶縁チェーンが存在する側に移動させている状態を示す斜視図である。
【図７】固定側アーム部材・可動側アーム部材とは別個に操作レバーを設け、操作レバーを可動側アーム部材に連繋させた状態において、操作レバーに取り付けた絶縁チェーンを牽引して、可動側アーム部材を絶縁チェーンが存在していない側に移動させている状態を示す斜視図である。
【図８】固定側アーム部材・可動側アーム部材とは別個に操作レバーを設け、操作レバーを可動側アーム部材に連繋させた状態において、操作レバーに取り付けた絶縁チェーンを牽引して、可動側アーム部材を絶縁チェーンが存在していない側に移動させている状態を示す斜視図である。
【図９】ダンパー部を用いている架空送電線保守用活線工具の構成を示す斜視図である。
【図１０】可動側アーム部材が閉じている状態を示す斜視図である。
【図１１】可動側アーム部材が開いている状態を示す斜視図である。
【図１２】可動側アーム部材が開いている状態を示す斜視図である。
【図１３】固定側アーム部材・可動側アーム部材とは別個に操作レバーを設け、操作レバーに一体形成された歯部を、可動側アーム部材の基端側に形成した係合部に噛合させている状態を示す斜視図である。
【図１４】操作レバーの回動によって可動側アーム部材を、操作レバーの回動方向とは反対方向に開かせるようにしている状態を示す斜視図である。
【図１５】ウオームギア機構部を用いている架空送電線保守用活線工具の構成を示す斜視図である。
【図１６】ウオームギア機構部の構成を示す斜視図である。
【符号の説明】
【０１２５】
Ｐ…鉄塔
Ｑ…付着物
Ｆ…フック
１…操作棒
２…挟持アーム部材
２Ａ…固定側アーム部材
２Ａａ…アーム部
２Ａｂ…略四角形部分
２Ａｃ…略四角形部分
２Ｂ…可動側アーム部材
２Ｂａ…アーム部
２Ｂｂ…略四角形部分
３…駆動部
４…軸支部
５…ガイド長孔
６…ガイド突起
７…固定突起
８…バネ
９…操作レバー
９ａ…取付孔
１０…絶縁チェーン
１１…ジョイント部
１２…垂れ下がり防止用のリング部
１３…操作部
１３ａ…ガイド環
１３ｂ…ねじ孔
１３ｃ…蝶ネジ
１４…肩掛けベルト
１５…凸部
１５ａ…第１凸部
１５ｂ…第２凸部
１６…凸部
１６ａ…第１凸部
１６ｂ…第２凸部
１６ｃ…第３凸部
２１…ダンパー部
２２…ウオームギア機構部
２３…歯部
２４…棒状体
２５…歯部
２６…円盤体
２７…固定具
２８…リモコン受信機
２９…モータ
３０…リモコン送信部
４０…軸支部
５０…ガイド長孔
６０…ガイド突起
【図１】
2009100529.tif 000003
【図２】
2009100529.tif 000004
【図３】
2009100529.tif 000005
【図４】
2009100529.tif 000006
【図５】
2009100529.tif 000007
【図６】
2009100529.tif 000008
【図７】
2009100529.tif 000009
【図８】
2009100529.tif 000010
【図９】
2009100529.tif 000011
【図１０】
2009100529.tif 000012
【図１１】
2009100529.tif 000013
【図１２】
2009100529.tif 000014
【図１３】
2009100529.tif 000015
【図１４】
2009100529.tif 000016
【図１５】
2009100529.tif 000017
【図１６】
2009100529.tif 000018